(57)【要約】【課題】設備費及びランニングコストが共に割安なスチームキャッチャを得るにある。【解決手段】内底部に吸収水Ｗが張られて一端１ａからスチームが導入されかつ他端１ｂから処理済空気が外部へ放出される捕集槽１の吸収水上部空間を、そらせ板５でスチーム導入室ＳＲ及び排気除湿室ＥＲに分割し、前記スチーム導入室ＳＲ中に位置されたスプレーノズル６からの捕集水の散布及びデミスター１０での露結によりスチームを結露させ、前記排気除湿室ＥＲ中の除湿フィルタ１１で排気水分を除去するスチームキャッチャであって、前記そらせ板５の下端部５ａは前記吸収水水面の上方で終端され、前記スチーム導入室ＳＲと前記排気除湿室ＥＲの間は前記下端部下に位置されると共に下部を前記吸収水Ｗ中に浸漬された捕集槽幅方向の風水車１３で区画され、同風水車１３にはスチーム導入室ＳＲ中に対向設置された反動スプレー１５からの吹付け水により回転力が与えられるスチームキャッチャ。【選択図】        図２
2005000888.tif 000002
【特許請求の範囲】
【請求項１】
内底部に吸収水が張られて一端からスチームが導入されかつ他端から処理済空気が外部へ放出される捕集槽の吸収水上部空間を、そらせ板でスチーム導入室及び排気除湿室に分割し、前記スチーム導入室中に位置されたスプレーノズルからの捕集水の散布及びデミスターでの露結によりスチームを結露させ、前記排気除湿室中の除湿フィルタで排気水分を除去するスチームキャッチャであって、前記そらせ板の下端部は前記吸収水水面の上方で終端され、前記スチーム導入室と前記排気除湿室の間は前記下端部下に位置されると共に下部を前記吸収水中に浸漬された捕集槽幅方向の風水車で区画され、同風水車にはスチーム導入室中に対向設置された反動スプレーからの吹付け水により回転力が与えられることを特徴とするスチームキャッチャ。
【請求項２】
前記風水車は捕集槽に対して幅方向に架設した支持軸を中心として回転でき、同支持軸の放射方向に延長された複数のベーンとこれらのベーン間を繋ぐ両端シュラウドとを備えることを特徴とする請求項１記載のスチームキャッチャ。
【請求項３】
前記スチームキャッチャは塵埃汚染物質を含んだ汚染空気を浄化する湿式集塵装置であり、前記スチームに置換される汚染空気中の塵埃汚染物質は捕集槽中の吸収水に捕集吸収されることを特徴とする請求項１または請求項２に記載の湿式集塵装置。
【発明の詳細な説明】
【０００１】
【発明の属する技術分野】
本発明は食品工場などで発生したスチームの吸収．・回収を行うスチームキャッチャに関に関する。
【０００２】
【背景技術】
一般に、工場などで発生したスチームを回収するには、図１に示すようなスチームキャッチャが用いられている。
即ち、図１のスチームキャッチャは一端１ａを食品工場などのスチーム源に結合される捕集槽１Ａを本体とするもので、内底部に吸収水Ｗを張られた同捕集槽１Ａの他端１ｂには排気ブロア２Ａが結合され、排気モータ３Ａにより駆動される同排気ブロア２Ａにより処理後の清浄空気が屋外に排気される。
【０００３】
また、前記捕集槽１Ａの内部空間は下端部のドクターブレード４Ａを前記吸収水Ｗの水面に接触させたそらせ板５Ａによりスチーム導入室ＳＲ及び排気ブロア２Ａ側の排気除湿室ＥＲに分割され、スチーム導入室ＳＲのスチーム中水分は複数のスプレーノズル６Ａから噴霧される冷却水噴霧により結露され、デミスター１０Ａで捕集されて吸収水Ｗに吸収される。
スチーム導入室ＳＲ中で水分を除去された空気は排気ブロア２Ａによる排気除湿室ＥＲの負圧で気泡となって吸収水Ｗ中を通り排気除湿室ＥＲ中に到達し、同排気除湿室ＥＲ中の除湿フィルタ１１Ａで残りの水分を除かれて屋外へ排出される。
【０００４】
一方、水面レベルを略一定に保たれる捕集槽１Ａ中の吸収水Ｗは吸収熱を放熱させる冷却搭７Ａに連結され、循環ポンプ８Ａにより強制循環されるが、冷却後の循環水の一部は圧送ポンプ９Ａの加圧によりスチーム導入室ＳＲの上部の複数のスプレーノズル６Ａに圧送される。なお、圧送ポンプ９Ａからの圧送水はそらせ板５Ａに近接して配置されるスチーム導入室ＳＲ及び排気除湿室ＥＲ中の洗浄スプレー１２Ａ，１２Ｂに必要に応じて送られ、これらの洗浄スプレー１２Ａ，１２Ｂからの洗浄水の散布により捕集槽１Ａ中の洗浄が行われる。
【０００５】
【発明が解決しようとする課題】
ところで、前述したような構造の従来のスチームキャッチャによれば、排気ブロア２Ａの吸引力により処理済空気の屋外排出とスチーム導入室ＳＲへの吸引とが行われるので、比較的高価な排気ブロア２Ａ及び排気モータ３Ａが必要で、排気ブロア２Ａ及び排気モータ３Ａのために設備費が割高となっている。
また、排気ブロア２Ａ及び排気モータ３Ａは、食品工場などのの操業中、常時可動状態におく必要があるので、高額のランニングコストが要求され、省エネルギの点でも問題がある。
【０００６】
本発明の目的は、以上に述べたような従来のスチームキャッチャの問題に鑑み、設備費及びランニングコストが共に割安なスチームキャッチャを得るにある。
【０００７】
【課題を解決するための手段】
この目的を達成するため、本発明は、内底部に吸収水が張られて一端からスチームが導入されかつ他端から処理済空気が外部へ放出される捕集槽の吸収水上部空間を、そらせ板でスチーム導入室及び排気除湿室に分割し、前記スチーム導入室中に位置されたスプレーノズルからの捕集水の散布及びデミスターでの露結によりスチームを結露させ、前記排気除湿室中の除湿フィルタで排気水分を除去するスチームキャッチャであって、前記そらせ板の下端部は前記吸収水水面の上方で終端され、前記スチーム導入室と前記排気除湿室の間は前記下端部下に位置されると共に下部を前記吸収水中に浸漬された捕集槽幅方向の風水車で区画され、同風水車にはスチーム導入室中に対向設置された反動スプレーからの吹付け水により回転力が与えられるスチームキャッチャを提案するものである。
【０００８】
後述する本発明の好ましい実施例の説明においては、
１）前記風水車は捕集槽に対して幅方向に架設した支持軸を中心として回転でき、同支持軸の放射方向に延長された複数のベーンとこれらのベーン間を繋ぐ両端シュラウドとを備える構造
が説明される。
【０００９】
【発明の実施の形態】
以下、図２及び図３について本発明の実施例の詳細を説明する。
図２は本発明によるスチームキャッチャの全体図であり、一端１ａをスチーム源に結合される捕集槽１の内底部には吸収水Ｗが張られ、同捕集槽１の他端１ｂから処理後の清浄空気が屋外に排気される。
【００１０】
また、前記捕集槽１の内部空間はそらせ板５によりスチーム導入室ＳＲ及び処理後の浄化空気を収容する排気除湿室ＥＲに分割されるが、このそらせ板５の下端部５ａは吸収水Ｗの水面レベルよりも高い位置で終端される。
前記そらせ板５の下端部と吸収水Ｗとの間には、排気除湿室ＥＲ側に配置される風水車１３が配置され、この風水車１３の回転運動によりスチーム導入室ＳＲ中の空気が排気除湿室ＥＲ中へ掻き出されるけれども、風水車１３の構造及び駆動方法については後述する。
【００１１】
前述したスチーム導入室ＳＲのスチーム中水分はスチーム導入室ＳＲの上部に配置される複数のスプレーノズル６から噴霧される冷却水噴霧により結露され、デミスター１０で捕集された後、デミスター１０から滴下して吸収水Ｗに吸収される。
そして、スチーム導入室ＳＲ中の水分を除去された空気は風水車１３の掻き出し運動により排気除湿室ＥＲ中に到達し、同排気除湿室ＥＲ中の除湿フィルタ１１で残りの水分を除かれて屋外へ排出されることになる。
【００１２】
捕集槽１中で水面レベルを略一定に保たれる吸収水Ｗは吸収熱を放熱させる冷却搭７に連結され、循環ポンプ８により強制循環される。また、冷却後の循環水の一部は圧送ポンプ９の加圧により前述のスプレーノズル６に圧送されて、同スプレーノズル６からの冷却水噴霧により結露が行われる．。
【００１３】
図２及び図３から理解されるように、捕集槽１の幅方向に掛け渡される支持軸１４を中心として自由に回転できるように支持されたスリーブ１３ａを有し、このスリーブ１３ａの周面には放射方向に延長した複数のベーン１３ｂが固定される。また、これらのベーン１３ｂの端部は捕集槽１の側壁に近接されるシュラウド１３ｃに固定されるから、この風水車１３の存在によりスチーム導入室ＳＲと排気除湿室ＥＲとが気密的に隔絶される。
【００１４】
また、前記スチーム導入室ＳＲの下部には風水車１３のベーン１３に向かって冷却水を噴射できる反動スプレー１５が付設され、この反動スプレー１５に対しては前記圧送ポンプ９で圧送される冷却水の一部が分与される。したがって、この反動スプレー１５からの噴射冷却水の反動により風水車１３が回転され、この風水車１３の回転に伴ってスチーム導入室ＳＲ中の空気が排気除湿室ＥＲ中へ掻き出される。
【００１５】
図示実施例によるスチームキャッチャは、以上のような構造であるから、反動スプレー１５からの噴射冷却水の反動で風水車１３が矢印方向に回転され、同回転運動に伴ってスチーム導入室ＳＲ中の空気が排気除湿室ＥＲ中へ掻き出されることになる。
このため、風水車１３の回転運動によりスチーム導入室ＳＲ中が大気圧よりも常時負圧に、排気除湿室ＥＲ中が大気圧よりも高い圧力状態に保たれるため、外部からスチームがスチーム導入室ＳＲ中へ自然に流入されてスチーム中の水分の露結と吸収水Ｗへの吸収が行われると同時に、除湿された処理後の浄化空気が外気へ自然に放出される．。
【００１６】
この風水車１３の回転駆動は圧送ポンプ９の圧送冷却水の一部を利用することで行われるから、従来の排気ブロア及び排気モータを廃止でき、排気モータの運転に要する電力コストを削減できる。
【００１７】
なお、本発明のスチームキャッチャは、スチームの代わりに塵埃汚染物質を含んだ汚染空気を捕集槽１中に導入するだけで湿式集塵装置として使用でき、この場合、汚染空気中の塵埃汚染物質は捕集槽中の吸収水Ｗに捕集吸収されることになる。
【００１８】
【発明の効果】
以上の説明から明らかなように、本発明によれば、圧送冷却水の一部で回転される風水車でスチーム導入室中の空気の掻き出しと排気除湿室中の処理後の空気の排出を行わせるので、設備費及びランニングコストが共に割安なスチームキャッチャを得ることができる。
【図面の簡単な説明】
【図１】従来のスチームキャッチャの全体図である。
【図２】本発明によるスチームキャッチャの全体図である。
【図３】図２の２−２線に沿う拡大断面図である。
【符号の説明】
Ｗ      吸収水
ＳＲ    スチーム導入室
ＥＲ    排気除湿室
１      捕集槽
５      そらせ板
５ａ    下端部
６      スプレーノズル
１０    デミスター
１１    除湿フィルタ
１３    風水車
１３ａ  スリーブ
１３ｂ  ベーン
１３ｃ  シュラウド
１４    支持軸
１５    反動スプレー
【図１】
2005000888.tif 000003
【図２】
2005000888.tif 000004
【図３】
2005000888.tif 000005